(57)【要約】【課題】  水を活性化処理する活性器に於いて、水道配管等の管路に介設した場合に粒状のセラミックスの取り替えやメンテナンスを簡単且つ迅速に行えるようにすると共に、設置スペースも少なくて済む活水器を提供する。【解決手段】  水Ｗの流入口１ａ及び流出口１ｂを形成したベース１を備えた開閉可能な密閉状の外容器Ａと、外容器Ａに内蔵され、外容器Ａの流入口１ａに連通する入口６ｃ及び外容器Ａの流出口１ｂに連通する出口６ｄを夫々備えていると共に、内部に粒状のセラミックス８を封入した筒状のカートリッジＢとから成る活水器であって、前記カートリッジＢの一端部を、外容器Ａのベース１に形成した支持穴１ｅにＯリング４を介して着脱自在に挿入固定する。【選択図】      図１
2005034754.tif 000002
【特許請求の範囲】
【請求項１】
水（Ｗ）の流入口（１ａ）及び流出口（１ｂ）を形成したベース（１）を備えた開閉可能な密閉状の外容器（Ａ）と、外容器（Ａ）に内蔵され、外容器（Ａ）の流入口（１ａ）に連通する入口（６ｃ）及び外容器（Ａ）の流出口（１ｂ）に連通する出口（６ｄ）を備えていると共に、内部に粒状のセラミックス（８）を封入した筒状のカートリッジ（Ｂ）とから成る活水器であって、前記カートリッジ（Ｂ）の一端部を、外容器（Ａ）のベース（１）に形成した支持穴（１ｅ）にＯリング（４）を介して着脱自在に挿入固定したことを特徴とする活水器。
【請求項２】
カートリッジ（Ｂ）の一端部に外容器（Ａ）のベース（１）の支持穴（１ｅ）に挿入される小径の挿入部（６ａ）を形成し、挿入部（６ａ）の外周面又はベース（１）の支持穴（１ｅ）の内周面にＯリング（４）が嵌め込まれる環状のＯリング溝（６ｂ）を形成したことを特徴とする請求項１に記載の活水器。
【請求項３】
カートリッジ（Ｂ）が、一端部に外容器（Ａ）のベース（１）の支持穴（１ｅ）に挿入される小径の挿入部（６ａ）を形成した筒状のケース（６）と、ケース（６）内に封入した粒状のセラミックス（８）とから成り、ケース（６）の一端部に外容器（Ａ）の流入口（１ａ）に連通する入口（６ｃ）を、又、ケース（６）の他端部に外容器（Ａ）の流出口（１ｂ）に連通する出口（６ｄ）を夫々形成したことを特徴とする請求項１又は請求項２に記載の活水器。
【請求項４】
カートリッジ（Ｂ）が、一端部に外容器（Ａ）のベース（１）の支持穴（１ｅ）に挿入される小径の挿入部（６ａ）、外容器（Ａ）の流入口（１ａ）に連通する入口（６ｃ）及び外容器（Ａ）の流出口（１ｂ）に連通する出口（６ｄ）を夫々形成した筒状のケース（６）と、ケース（６）内にケース（６）と同心円上に内蔵され、一端部がケース（６）の入口（６ｃ）に連通すると共に、他端部がケース（６）の出口（６ｄ）に連通するパイプ（９）と、ケース（６）とパイプ（９）との間の空間に封入した粒状のセラミックス（８）とから成ることを特徴とする請求項１又は請求項２に記載の活水器。
【発明の詳細な説明】
【技術分野】
【０００１】
本発明は、主に一般家庭等の水道配管の途中に設置されて飲料用や調理用、洗面用、風呂用、トイレ用等の水を活性化する活水器に係り、特に、水を粒状のセラミックスと流動接触させて活性化するようにした活水器の改良に関するものである。
【背景技術】
【０００２】
一般に、水を活性化することにより、醸造に於ける発酵時間及び熟成時間の短縮、水耕栽培等に於ける植物の成長の促進、水あかの発生防止、化学反応の促進、食品の腐敗防止、脱臭効果の向上、食品の味覚の向上等を図れることが実証されており、活性化された水は広く実用に供されている。
【０００３】
従前から水の活性化処理には、粒状のセラミックスを使用した活水器が広く利用されている。この種の活水器としては、原水流入口及び活性水流出口を形成した本体容器内にセラミック粒子を装填したものが知られている（例えば、特許文献１参照）。
【０００４】
即ち、前記活水器（セラミック活水器）は、図３及び図４に示す如く、一端部に原水流入口１０ａを、又、他端部に活性水流出口１０ｂを夫々形成した筒状の本体容器１０と、本体容器１０内に流動領域を残して封入したセラミック粒子１１と、本体容器１０内の原水流入口１０ａ及び活性水流出口１０ｂの近傍位置に夫々固着され、セラミック粒子１１の流出を阻止する網状体１２とから構成されており、活性化処理する水Ｗを原水流入口１０ａから本体容器１０内へ流し込んでセラミック粒子１１と流動接触させることにより、水Ｗの活性化処理を行っている。
この活水器は、構造が簡単で大量の水Ｗを効率よく短時間で活性化処理することができる等の利点を有する。
【０００５】
尚、図３及び図４に於いて、１０ｃは本体容器１０を形成する中央円筒部、１０ｄは本体容器１０の上蓋、１０ｅは本体容器１０の下蓋、１３は原水流入口１０ａ及び活性水流出口１０ｂに延設されたパイプ連結部、１４は本体容器１０に固着された脚部、１５は原水流入口１０ａ及び活性水流出口１０ｂの近傍位置に設けた調節弁である。
【０００６】
ところで、セラミック粒子１１を使用した活水器に於いては、活水器を長期間使用すると、本体容器１０内のセラミック粒子１１に摩耗や損傷、汚れが発生するため、セラミック粒子１１を定期的に交換するのが望ましい。
【０００７】
然し乍ら、従来の活水器は、本体容器１０内にセラミック粒子１１を直接封入し、本体容器１０を水道配管に直接介設しているため、セラミック粒子１１の取り替え時に活水器自体を水道配管から取り外してセラミック粒子１１を取り替えなければならず、然も、本体容器１０を水道配管から取り外したときにセラミック粒子１１が飛び出したりすることがあり、セラミック粒子１１の交換を簡単且つ迅速に行えないと云う問題があった。
更に、従来の活水器は、本体容器１０の両端部に原水流入口１０ａ及び活性水流出口１０ｂを形成しているため、本体容器１０を水道配管に介設したときに本体容器１０が水道配管と同じ方向になり、設置場所を取ると云う問題もあった。
【特許文献１】特開２００２−６６５７５号公報
【発明の開示】
【発明が解決しようとする課題】
【０００８】
本発明は、このような問題点に鑑みて為されたものであり、その目的は水道配管に介設している場合でも、粒状のセラミックスの交換やメンテナンスを簡単且つ迅速に行えると共に、設置スペースも少なくて済む活水器を提供することにある。
【課題を解決するための手段】
【０００９】
上記目的を達成する為に、本発明の請求項１の発明は、水の流入口及び流出口を形成したベースを備えた開閉可能な密閉状の外容器と、外容器に内蔵され、外容器の流入口に連通する入口及び外容器の流出口に連通する出口を備えていると共に、内部に粒状のセラミックスを封入した筒状のカートリッジとから成る活水器であって、前記カートリッジの一端部を、外容器のベースに形成した支持穴にＯリングを介して着脱自在に挿入固定したことに特徴がある。
【００１０】
本発明の請求項２の発明は、カートリッジの一端部に外容器のベースの支持穴に挿入される小径の挿入部を形成し、挿入部の外周面又はベースの支持穴の内周面にＯリングが嵌め込まれる環状のＯリング溝を形成したことに特徴がある。
【００１１】
本発明の請求項３の発明は、カートリッジが、一端部に外容器のベースの支持穴に挿入される小径の挿入部を形成した筒状のケースと、ケース内に封入した粒状のセラミックスとから成り、ケースの一端部に外容器の流入口に連通する入口を、又、ケースの他端部に外容器の流出口に連通する出口を夫々形成したことに特徴がある。
【００１２】
本発明の請求項４の発明は、カートリッジが、一端部に外容器のベースの支持穴に挿入される小径の挿入部、外容器の流入口に連通する入口及び外容器の流出口に連通する出口を夫々形成した筒状のケースと、ケース内にケースと同心円上に内蔵され、一端部がケースの入口に連通すると共に、他端部がケースの出口に連通するパイプと、ケースとパイプとの間の空間に封入した粒状のセラミックスとから成ることに特徴がある。
【発明の効果】
【００１３】
本発明の活水器は、粒状のセラミックスをカートリッジ内に封入し、このカートリッジを水道配管に介設した開閉可能な密閉状の外容器内に着脱自在な構成としているため、セラミックスの交換時には外容器を開放し、カートリッジのみを外容器から取り出せば良い。その結果、本発明の活水器は、従来の活水器のように活水器自体を水道配管から取り外したり、或いは活水器を水道配管から取り外したときにセラミックスが飛び出したりすると云うことがなく、セラミックスの交換を簡単且つ迅速に行える。
又、本発明の活水器は、外容器のベースに流入口及び流出口を形成しているため、外容器を水道配管に介設したときに活水器自体が水道配管と直交する縦向き姿勢となる。その結果、活水器を水道配管に介設したときに設置スペースが少なくて済む。
更に、本発明の活水器は、カートリッジの一端部に形成した挿入部をＯリングを介して外容器のベースの支持穴に挿入固定しているため、ベースとカートリッジとの間が確実にシールされる。その結果、流入口から流入した水は、カートリッジ内を確実に通過することになり、粒状のセラミックスと流動接触して確実に活性化されることになる。
【発明を実施するための最良の形態】
【００１４】
以下、本発明の実施の形態を図面に基づいて詳細に説明する。
図１は本発明の実施の形態に係る活水器を示し、当該活水器は、主に一般家庭の水道メーターの二次側の水道配管に介設されており、家庭で使用する飲料用や調理用、洗面用、風呂用、トイレ用等の水Ｗをまとめて活性化するようにしたものである。
【００１５】
前記活水器は、水道メーターの二次側の水道配管に連通状に接続される開閉可能な密閉状の外容器Ａと、外容器Ａ内に内蔵されて内部に粒状のセラミックスを封入した筒状のカートリッジＢとから成り、カートリッジＢを外容器Ａ内に着脱自在とし、カートリッジＢを交換可能としたものである。
【００１６】
即ち、外容器Ａは、水Ｗの流入口１ａ及び流出口１ｂを形成したベース１と、ベース１の上面側に取り付けた筒状のケーシング２と、ケーシング２の上端部に取り付けたヘッドキャップ３とから成り、ベース１とケーシング２との間及びケーシング２とヘッドキャップ３との間にＯリング４を介装し、ベース１とケーシング２及びケーシング２とヘッドキャップ３を夫々ボルト５で連結することによって密閉状に組み立てられている。
【００１７】
具体的には、ベース１は、ステンレス鋼やアルミ合金等の金属材により円盤状に形成されており、その外周面には水道配管の端部にユニオンナット（図示省略）を介して接続される流入側配管接続部１ｃと流出側配管接続部１ｄとが対向状に形成されている。この流入側配管接続部１ｃには、水Ｗの流入口１ａが形成されていると共に、流出側配管接続部１ｄには、水Ｗの流出口１ｂが形成されている。又、ベース１の上面中心部には、水Ｗの流出口１ｂに連通してカートリッジＢの一端部が挿入固定される上向きの支持穴１ｅが形成されている。更に、ベース１の上面には、支持穴１ｅの周囲に位置して水Ｗの流入口１ａに連通する環状溝１ｆと、環状溝１ｆの周囲に位置してＯリング４が嵌め込まれる環状のＯリング溝１ｇとが夫々形成されている。
ケーシング２は、ステンレス鋼やアルミ合金等の金属材により筒状に形成されており、その上端部及び下端部にはフランジ２ａが夫々設けられている。又、上端部側のフランジ２ａの上面には、Ｏリング４が嵌め込まれる環状のＯリング溝２ｂが形成されている。
ヘッドキャップ３は、ステンレス鋼やアルミ合金等の金属材によりお椀状に形成されており、その外周縁部にはケーシング２の上端部側のフランジ２ａに重ね合わされるフランジ３ａが形成されている。
【００１８】
而して、前記外容器Ａに於いては、ベース１のＯリング溝１ｇにＯリング４を嵌め込み、ベース１の外周縁部にケーシング２の下端部側のフランジ２ａを重ね合わせ、この状態でフランジ２ａを複数本のボルト５でベース１側へ締め付け固定することによって、ベース１とケーシング２とが密閉状に連結され、又、ケーシング２の上端部側のフランジ２ａのＯリング溝２ｂにＯリング４を嵌め込み、ケーシング２の上端部側のフランジ２ａとヘッドキャップ３のフランジ３ａとを重ね合わせ、この状態で両フランジ２ａ，３ａを複数本のボルト５で締め付け固定することによって、ケーシング２とヘッドキャップ３とが密閉状に連結されることになる。
【００１９】
一方、カートリッジＢは、一端部に外容器Ａのベース１の支持穴１ｅに着脱自在に挿入固定される小径の挿入部を形成した円筒箱状のケース６と、ケース６内に封入した粒状のセラミックス８とから成り、ケース６の一端部に外容器Ａの流入口１ａに連通する入口６ｃが、又、ケース６の他端部に外容器Ａの流出口１ｂに連通する出口６ｄが夫々形成されている。
【００２０】
具体的には、ケース６は、ステンレス鋼やアルミ合金等の金属材により分解可能な円筒箱状に形成されており、その下端部には外容器Ａのベース１の支持穴１ｅに挿入固定される下方が開放された小径の筒状の挿入部６ａが形成されている。この挿入部６ａの外周面には、Ｏリング４が嵌め込まれる上下２列の環状のＯリング溝６ｂが形成されている。又、ケース６の上端面には、外容器Ａ内の空間を介してベース１の流入口１ａに連通する入口６ｃが形成されていると共に、ケース６の挿入部６ａの下端面には、ベース１の支持穴１ｅを介して流出口１ｂに連通する出口６ｄが形成されている。更に、ケース６の入口６ｃ及び出口６ｄには、ケース６内に封入された粒状のセラミックス８の流出を阻止する金属網製又はパンチングメタル製のスクリーン７が設けられている。
粒状のセラミックス８は、水Ｗと接触することにより水Ｗを活性化するものであり、この粒状のセラミックス８には、界面活性及び浸透力の向上を図る粒状の圧電性電子セラミックス、溶解力及び熱伝導性の向上を図る粒状の遠赤外線セラミックス、味の改善を図る粒状のミネラルセラミックス、溶解力及び浸透力の向上を図る粒状の磁気セラミックス、抗菌のための粒状の銅イオンセラミックス等が使用されている。尚、ケース６内に封入される粒状セラミックス８の量は、セラミックス８が水Ｗと確実且つ良好に流動接触するように設定されており、通常ケース６の内容積の３０％〜７０％程度である。又、粒状のセラミックス８の直径は、１ｍｍ〜数ミリ程度に設定されている。
【００２１】
次に、上述した構造の活水器を一般家庭で使用する場合について説明する。
前記活水器は、一般家庭の水道メーターの二次側の水道配管に介設されており、外容器Ａの流入口１ａには水道メーターに接続された水道配管（図示省略）の一端部が接続され、又、外容器Ａの流出口１ｂには家庭内の水道蛇口や給湯器等の末端の水道機器に水Ｗを夫々供給する分岐状の水道配管（図示省略）の基端部が接続されている。
【００２２】
水道本管から水道メーター及び水道配管を経て活水器の流入口１ａに流入した水Ｗは、ベース１の上面に形成した環状溝１ｆから外容器Ａのケース６とカートリッジＢとの間に形成された環状の空間に流入し、当該空間内を上昇してカートリッジＢの入口６ｃからカートリッジＢ内に流入する。
カートリッジＢ内に流入した水Ｗは、カートリッジＢ内を下向きに流れ、その間にカートリッジＢ内の粒状のセラミックス８を流動させる。これによって、カートリッジＢ内の水Ｗは、粒状のセラミックス８と流動接触し、その分子が電気分解されたり、或いはセラミックス８からの放射エネルギーを吸収して活性化される。
カートリッジＢ内で活性化された水Ｗは、カートリッジＢの出口６ｄから流出口１ｂへ流出し、分岐状の水道配管を通って建物内へ送られ、飲料用や調理用、洗面用、風呂用、トイレ用等の水Ｗとして使用される。
【００２３】
そして、活水器を一定期間使用してセラミック粒子に摩耗や損傷、汚れが発生した場合には、カートリッジＢ自体を新しいカートリッジＢに取り替えるか、或いはカートリッジＢ内のセラミックス８を新しいセラミックス８に取り替える。
即ち、カートリッジＢ自体を取り替える場合には、外容器Ａのヘッドキャップ３をケース６から取り外して外容器Ａを開放し、外容器Ａ内の古いカートリッジＢを取り出す。次に、新しいカートリッジＢをケース６内に挿入し、当該カートリッジＢの挿入部６ａをベース１の支持穴１ｅにＯリング４を介して挿入固定する。その後、ケース６の上端部にヘッドキャップ３をボルト５により取り付け固定する。
一方、カートリッジＢ内のセラミックス８を取り替える場合には、外容器Ａのヘッドキャップ３をケース６から取り外して外容器Ａを開放し、外容器Ａ内の古いカートリッジＢを取り出す。次に、カートリッジＢを分解してカートリッジＢ内の古いセラミックス８を取り出すと共に、カートリッジＢ内に新しいセラミックス８を封入する。その後、新しいセラミックス８を封入したカートリッジＢをケース６内に挿入し、当該カートリッジＢの挿入部６ａをベース１の支持穴１ｅにＯリング４を介して挿入固定する。最後に、ケース６の上端部にヘッドキャップ３をボルト５により取り付け固定する。
【００２４】
前記活水器は、粒状のセラミックス８をカートリッジＢ内に封入し、このカートリッジＢを水道配管に介設した開閉可能な外容器Ａ内に着脱自在な構成としているため、セラミックス８の取り替え時には外容器Ａのヘッドキャップ３を取り外して外容器Ａを開放し、カートリッジＢを外容器Ａから取り出せば良い。その結果、この活水器は、従来の活水器のように活水器自体を水道配管から取り外したり、或いは活水器を水道配管から取り外したときにセラミックス８が飛び出したりすると云うことがなく、セラミックス８の交換を簡単且つ迅速に行える。
又、この活水器は、外容器Ａのベース１に流入口１ａ及び流出口１ｂを形成しているため、外容器Ａを水道配管に介設したときに活水器自体が水道配管と直交する縦向き姿勢となる。その結果、活水器を水道配管に介設したときに設置スペースが少なくて済む。
更に、この活水器は、カートリッジＢの挿入部６ａをＯリング４を介して外容器Ａのベース１の支持穴１ｅに挿入固定しているため、ベース１とカートリッジＢとの間を確実にシールすることができる。その結果、流入口１ａから流入した水Ｗは、カートリッジＢ内を確実に通過することになり、粒状のセラミックス８と流動接触して確実に活性化されることになる。然も、カートリッジＢの挿入部６ａに複数列のＯリング溝６ｂを形成し、各Ｏリング溝６ｂにＯリング４を嵌め込むようにしているため、外容器Ａのベース１とカートリッジＢとの間のシールをより確実に行える。
【００２５】
図２は本発明の他の実施の形態に係る活水器を示し、当該活水器は、水道メーターの二次側の水道配管に連通状に接続される開閉可能な密閉状の外容器Ａと、外容器Ａ内に内蔵されて内部に粒状のセラミックス８を封入した筒状のカートリッジＢとから成り、カートリッジＢを外容器Ａ内に着脱自在とし、カートリッジＢを交換可能としたものである。この活水器は、カートリッジＢの構造を変えたこと以外は図１に示す活水器と同一構造に構成されており、図１に示す活水器と同じ部位・部材には同一の参照番号を付し、その詳細な説明を省略する。
【００２６】
前記カートリッジＢは、一端部に外容器Ａのベース１の支持穴１ｅに挿入される小径の挿入部６ａ、外容器Ａの流入口１ａに連通する入口６ｃ及び外容器Ａの流出口１ｂに連通する出口６ｄを夫々形成した筒状のケース６と、ケース６内にケース６と同心円上に内蔵され、一端部がケース６の入口６ｃに連通すると共に、他端部がケース６の出口６ｄに連通するパイプ９と、ケース６とパイプ９との間の空間に封入した粒状のセラミックス８とから成る。
【００２７】
具体的には、ケース６は、ステンレス鋼やアルミ合金等の金属材により分解可能な円筒箱状に形成されており、その下端部には外容器Ａのベース１の支持穴１ｅに挿入固定される下方が開放された小径の筒状の挿入部６ａが形成されている。この挿入部６ａの外周面には、Ｏリング４が嵌め込まれる上下２列の環状のＯリング溝６ｂが形成されている。又、ケース６の大径部の下端面には、ベース１の環状溝１ｆを介して流入口１ａに連通する入口６ｃが形成されており、当該入口６ｃにはケース６内に封入された粒状のセラミックス８の流出を阻止する金属網製又はパンチングメタル製のスクリーン７が設けられている。更に、ケース６の挿入部６ａの下端面には、ベース１の支持穴１ｅを介して流出口１ｂに連通する出口６ｄが形成されている。
パイプ９は、ステンレス鋼やアルミ合金等の金属材により円筒状に形成されており、その上端部にはケース６内に封入された粒状のセラミックス８の流出を阻止する金属網製又はパンチングメタル製のスクリーン７が設けられている。このパイプ９は、ケース６内にケース６と同心円上に配置されており、その下端部がケース６の挿入部６ａ内に挿着されている。従って、パイプ９の上端部開口は、ケース６内の空間を介してケース６の入口６ｃに連通し、又、パイプ９の下端部開口は、ベース１の支持穴１ｅに連通することになる。
粒状のセラミックス８は、水Ｗと接触することにより水Ｗを活性化するものであり、この粒状のセラミックス８には、界面活性及び浸透力の向上を図る粒状の圧電性電子セラミックス、溶解力及び熱伝導性の向上を図る粒状の遠赤外線セラミックス、味の改善を図る粒状のミネラルセラミックス、溶解力及び浸透力の向上を図る粒状の磁気セラミックス、抗菌のための粒状の銅イオンセラミックス等が使用されている。尚、ケース６内に封入される粒状セラミックス８の量は、セラミックス８が水Ｗと確実且つ良好に流動接触するように設定されており、通常ケース６の内容積の３０％〜７０％程度である。又、粒状のセラミックス８の直径は、１ｍｍ〜数ミリ程度に設定されている。
【００２８】
而して、上述した構造のカートリッジＢを備えた活水器に於いては、水道配管を経て活水器の流入口１ａに流入した水Ｗは、ベース１の上面に形成した環状溝１ｆからカートリッジＢの入口６ｃを経てカートリッジＢ内に流入する。
カートリッジＢ内に流入した水Ｗは、カートリッジＢのケース６とパイプ９との間に形成された環状の空間内を上向きに流れ、その間にカートリッジＢ内の粒状のセラミックス８を流動させる。これによって、カートリッジＢ内の水Ｗは、粒状のセラミックス８と流動接触し、その分子が電気分解されたり、或いはセラミックス８からの放射エネルギーを吸収して活性化される。
セラミックス８と流動接触した水Ｗは、パイプ９の上端部からパイプ９内に流入し、パイプ９内を下向きに流れてカートリッジＢの出口６ｄから流出口１ｂへ流出し、分岐状の水道配管を通って建物内へ送られ、飲料用や調理用、洗面用、風呂用、トイレ用等の水Ｗとして使用される。
この活水器も上記実施の形態に係る活水器（図１に示す活水器）と同様にセラミックス８の入れ替えを簡単且つ迅速に行えると共に、設置スペースが小さくて済むと云う作用効果を奏することができる。
【００２９】
上記各実施の形態に於いては、カートリッジＢの挿入部６ａの外周面にＯリング４が嵌め込まれる環状のＯリング溝６ｂを形成するようにしたが、他の実施の形態に於いては、ベース１の支持穴１ｅの内周面にＯリング４が嵌め込まれる環状のＯリング溝を形成するようにしても良い。
【００３０】
上記第１の実施の形態に係る活水器（図１に示す活水器）に於いては、水Ｗは、ベース１の流入口１ａ、ケース６とカートリッジＢとの間の間隙、カートリッジＢの入口６ｃ、カートリッジＢ内及びカートリッジＢの出口６ｄを経てベース１の流出口１ｂへ流れるようになっているが、水Ｗを前記と逆の方向へ流すようにしても良い。又、第２の実施の形態に係る活水器（図２に示す活水器）に於いては、水Ｗは、ベース１の流入口１ａ、カートリッジＢの入口６ｃ、カートリッジＢのケース６とパイプ９との間の空間、パイプ９内及びカートリッジＢの出口６ｄを経てベース１の流出口１ｂへ流れるようになっているが、水Ｗを前記と逆の方向へ流すようにしても良い。
【００３１】
上記各実施の形態に於いては、一般家庭の水道メーターの二次側の配管に活水器を介設し、家庭で使用する水Ｗをまとめて活性化するようにしたが、他の実施の形態に於いては、流し台の水道蛇口や給湯器の注湯口等のような水道水の出る末端の配管に設けるようにしても良い。
【００３２】
上記各実施の形態に於いては、活水器を用いて一般家庭で使用する水Ｗを活性化するようにしたが、活水器を用いて食品加工用水、植物栽培用水、飼育用水（魚、動物等）、プール用水等の水Ｗを活性化処理するようにしても良い。
【図面の簡単な説明】
【００３３】
【図１】本発明の実施の形態に係る活水器の縦断面図である。
【図２】本発明の他の実施の形態に係る活水器の縦断面図である。
【図３】従来の活水器の正面図である。
【図４】従来の活水器の概略縦断面図である。
【符号の説明】
【００３４】
Ａは外容器、Ｂはカートリッジ、１はベース、１ａは水の流入口、１ｂは水の流出口、１ｅは支持穴、６はカートリッジのケース、６ａはカートリッジの挿入部、６ｂはＯリング溝、６ｃはカートリッジの入口、６ｄはカートリッジの出口、８は粒状のセラミックス、９はパイプ、Ｗは水。
【図１】
2005034754.tif 000003
【図２】
2005034754.tif 000004
【図３】
2005034754.tif 000005
【図４】
2005034754.tif 000006